(57)【要約】【課題】  仮想咬合平面を精度よく再現することができるとともに、仮想咬合平面と模型基底面との平行性を飛躍的に高めることのできる義歯用模型の製作補助具を提供する。【解決手段】  上顎又は下顎の模型の前方側に位置する第一基準位置に当接しうる前方当接部１１と、前記第一基準位置よりも後方側であって左右両側に位置する第二基準位置に当接しうる後方当接部１２と、これら当接部１１と当接部１２を連結するとともに、一表面に平面部ｈを有する基体部１３とを備えた義歯用模型の製作補助具１である。前方当接部１１の平面部ｈからの突出長さａ及び後方当接部１２の平面部ｈからの突出長さｂは所定の基準値に設定されている。【選択図】      図１
2007014461.tif 000002
【特許請求の範囲】
【請求項１】
口腔内の印象採得に基づいて得られた上顎又は下顎の模型の前方側に位置する第一基準位置に当接しうる前方当接部と、
前記第一基準位置に前記前方当接部を当接させた状態において、前記第一基準位置よりも後方側であって左右両側に位置する第二基準位置に当接しうる後方当接部と、
前記前方当接部と前記後方当接部とを連結するとともに、一表面に平面部を有する基体部とを備え、
前記前方当接部の前記平面部からの突出長さは所定の第一基準値に設定され、前記後方当接部の前記平面部からの突出長さは所定の第二基準値に設定されることを特徴とする義歯用模型の製作補助具。
【請求項２】
前記模型は、上顎口腔内の印象採得に基づいて得られた上顎模型であり、
前記第一基準位置は、上顎における有歯顎時の中切歯歯肉唇移行部であり、
前記第二基準位置は、左右両側に位置するハミュラーノッチであることを特徴とする請求項１に記載の義歯用模型の製作補助具。
【請求項３】
前記前方当接部は前記基体部の前縁部から二股状に突設され、
前記後方当接部は、前記基体部に対して前後方向に移動可能で且つ前記平面部の面内方向に回動可能に取り付けられた部材に設けられていることを特徴とする請求項２に記載の義歯用模型の製作補助具。
【請求項４】
前記模型は、下顎口腔内の印象採得に基づいて得られた下顎模型であり、
前記第一基準位置は、下顎における有歯顎時の中切歯歯肉唇移行部であり、
前記第二基準位置は、左右両側の臼後三角であることを特徴とする請求項１に記載の義歯用模型の製作補助具。
【請求項５】
前記前方当接部は前記基体部の前縁部から二股状に突設され、
前記基体部の後縁部の左右両側のそれぞれには、前記基体部の後縁部の左右両側から当該基体部の外方に向かって突出し前記平面部の面内方向に回動可能とされた回動部材が設けられ
前記後方当接部は前記回動部材に設けられていることを特徴とする請求項４に記載の義歯用模型の製作補助具。
【発明の詳細な説明】
【技術分野】
【０００１】
本発明は、総義歯等の義歯の製作工程中において作製される義歯用模型の製作補助具に関する。
【背景技術】
【０００２】
総義歯の一般的な作製方法は次のようなものである。まず、患者の上顎及び下顎の口腔内の印象採得に基づいて上顎及び下顎の模型を石膏で作製し、この石膏模型上にワックスで咬合床を形成する。そして、この咬合床に人工歯を配列した蝋義歯を咬合器及び患者の口中に装着してかみ合わせや歯の並び具合等の微調整（咬合採得）を行った後、蝋義歯のワックス部分をレジンで置換して義歯を得る。このレジンによる置換は、蝋義歯を埋没用石膏中に埋没させ、石膏硬化後に加熱してワックスを除去する流蝋を行い、この流蝋により得られた空間にレジンを注入充填した後レジンを重合硬化させることにより行われる（例えば、特許文献１参照。）。
【特許文献１】特開平９−２３８９５８号公報
【発明の開示】
【発明が解決しようとする課題】
【０００３】
義歯を必要とする患者は、歯牙の一部又は全部が無いので、上記咬合床の作製に当たっては、まず、有歯顎時の咬合平面（上顎の歯と下顎の歯との合わせ面）を仮想し、この仮想咬合平面に対応した咬合床を作製し、植設された人工歯の端面を仮想咬合平面に精度よく一致させる必要がある。咬合床と咬合平面とのずれが大きい場合、その後の咬合採得において多くの時間と労力を要することとなる。
【０００４】
無歯顎の口腔内表面における特定の基準位置と咬合平面との距離は、解剖学的平均値に基づいた基準値として一般に把握されている。よって、すべての歯牙が失われた無歯顎の模型からであっても仮想咬合平面を決定することが一応可能である。しかしながら、例えば無歯顎の場合、口腔内印象が再現された上顎又は下顎の模型には、仮想咬合平面を示す基準が無いため、仮想咬合平面に精度よく対応した咬合床を作製するのは容易ではない。
【０００５】
ここで、咬合床を仮想咬合平面に精度よく対応させるためには、咬合床を形成する前の段階において、模型の基底面（底面）を仮想咬合平面と平行とするのが有効である。この場合、模型の基底面から仮想咬合平面までの高さが一定となるから、当該基底面からの高さを一定とするだけで、咬合床の上面（あるいは人工歯の端面）と仮想咬合平面とを一致させることができる。
【０００６】
模型の基底面を仮想咬合平面と平行とするためには、上述した基準値に基づき、各基準位置と基底面との間隔をノギス等で測定しながらトリーマー等で基底面をトリミングすることが考えられる。しかしながらこの場合、作業者の目線やトリーミング時の誤差があるため、仮想咬合平面に対する平行性の高い模型基底面を得ることは極めて困難である。
【０００７】
本発明は、かかる状況に鑑みなされたものであり、仮想咬合平面を精度よく再現することができ、仮想咬合平面との平行性が高い模型基底面の作製に寄与しうる義歯用模型の製作補助具を提供することを目的とする。
【課題を解決するための手段】
【０００８】
本発明は、口腔内の印象採得に基づいて得られた上顎又は下顎の模型の前方側に位置する第一基準位置に当接しうる前方当接部と、前記第一基準位置に前記前方当接部を当接させた状態において、前記第一基準位置よりも後方側であって左右両側に位置する第二基準位置に当接しうる後方当接部と、前記前方当接部と前記後方当接部とを連結するとともに、一表面に平面部を有する基体部とを備え、前記前方当接部の前記平面部からの突出長さは所定の第一基準値に設定され、前記後方当接部の前記平面部からの突出長さは所定の第二基準値に設定されることを特徴とする義歯用模型の製作補助具である。
【０００９】
かかる製作補助具を用い、かつ、上記各基準値を解剖学的平均値に基づいた適切な値に設定することにより、模型上に載置した状態の上記製作補助具の上記平面部が仮想咬合平面を精度よく再現できる。よって、歯牙の無い模型からであっても仮想咬合平面を精度よく把握することができる。また、仮想咬合平面を再現した上記平面部と模型の基底面とを平行とすることにより、仮想咬合平面と模型基底面との平行性を高めることができる。
【００１０】
上記製作補助具は、上顎模型用と下顎模型用とに大別されるが、上顎模型用としては次のようなものが好ましい。すなわち、前記模型は、上顎口腔内の印象採得に基づいて得られた上顎模型であり、前記第一基準位置は、上顎における有歯顎時の中切歯歯肉唇移行部であり、前記第二基準位置は、左右両側に位置するハミュラーノッチであるのが好ましい。
この場合、上顎模型における基準位置を適切に設定したので、平面部による仮想咬合平面の再現精度が更に高まる。
【００１１】
また、上記上顎模型用の製作補助具において、前記前方当接部は前記基体部の前縁部から二股状に突設され、前記後方当接部は、前記基体部に対して前後方向に移動可能で且つ前記平面部の面内方向に回動可能に取り付けられた部材に設けられているのが好ましい。
【００１２】
前方当接部を二股状に突設させることで、当該前方当接部が上唇小帯に当たることを避けることができる。よって、前方当接部の先端を中切歯歯肉唇移行部により正確に当接させることができる。また、中切歯歯肉唇移行部とハミュラーノッチとの位置関係や、左右のハミュラーノッチ相互間の位置関係は患者によって相違するが、上記構成により、前方当接部と後方当接部との関係を各患者ごとに対応させることができる。よって、汎用性の高い製作補助具とすることができる。また前記後方当接部は、前記平面部の面内方向に回動可能に取り付けられた部材に設けられているので、後方当接部の平面部からの突出長さは回動により変化しない。よって、回動により後方当接部の当接位置を調整しつつ精度よく仮想咬合平面を再現できる。
【００１３】
また、下顎模型用としては次のようなものが好ましい。前記模型は、下顎口腔内の印象採得に基づいて得られた下顎模型であり、前記第一基準位置は、下顎における有歯顎時の中切歯歯肉唇移行部であり、前記第二基準位置は、左右両側の臼後三角であるのが好ましい。
この場合、下顎模型における基準位置を適切に設定したので、平面部による仮想咬合平面の再現精度が更に高まる。
【００１４】
上記下顎用の製作補助具において、前記前方当接部は前記基体部の前縁部から二股状に突設され、前記基体部の後縁部の左右両側のそれぞれには、前記基体部の後縁部の左右両側から当該基体部の外方に向かって突出し前記平面部の面内方向に回動可能とされた回動部材が設けられ、前記後方当接部は前記回動部材に設けられているのが好ましい。
【００１５】
前方当接部を二股状に突設させることで、当該前方当接部が下唇小帯に当たることを避けることができる。よって、前方当接部の先端を中切歯歯肉唇移行部により正確に当接させることができる。また、中切歯歯肉唇移行部と臼後三角との位置関係や、左右の臼後三角相互間の位置関係は患者によって相違するが、上記構成により、前方当接部と後方当接部との関係を各患者ごとに対応させることができる。よって、汎用性の高い製作補助具とすることができる。また前記後方当接部は、前記平面部の面内方向に回動可能に取り付けられた回動部材に設けられているので、後方当接部の平面部からの突出長さは回動により変化しない。よって、回動により後方当接部の当接位置を調整しつつ精度よく仮想咬合平面を再現できる。
【発明の効果】
【００１６】
顎模型上の複数の基準点に同時に当接して仮想咬合平面を精度よく再現しうる補助具としたので、顎模型における仮想咬合平面を正確に把握でき、義歯用模型の精度を向上させることができる。
【発明を実施するための最良の形態】
【００１７】
以下に、本発明の実施形態を図面を参照しつつ説明する。
本実施形態の義歯用模型の製作補助具は、上顎模型用の製作補助具である上顎用製作補助具１と、下顎模型用の製作補助具である下顎用製作補助具２とからなる。
【００１８】
図１及び図２は、上顎用製作補助具１を上顎模型３上に載置した状態を示す図であり、図１は側面図、図２は上方（上顎用製作補助具１設置側）からみた平面図である。なお図２では、理解しやすい図とするため上顎用製作補助具１を破線で示し、上顎模型３については上顎用製作補助具１で覆われた部分も含めて実線で示している。図１に示すように、上顎用製作補助具１を使用する際には、上顎模型３の印象面（上顎口腔内の形状が再現された面）３１が上側とされ、この上顎印象面３１上に上顎用製作補助具１が載置される。上顎用製作補助具１は、全体としては上顎模型３の印象面３１に略対応した大きさ及び形状とされている。上顎模型３の上顎印象面３１上に上顎用製作補助具１を載置した図１の状態において、上顎用製作補助具１の平面部ｈが仮想咬合平面ｐを再現している。
【００１９】
一方、図３及び図４は、下顎用製作補助具２を下顎模型４上に載置した状態を示す図であり、図３は側面図、図４は上方（下顎用製作補助具２設置側）からみた平面図である。なお図４では、理解しやすい図とするため下顎用製作補助具２を破線で示し、下顎模型４については下顎用製作補助具２で覆われた部分も含めて実線で示している。図３に示すように、下顎用製作補助具２を使用する際には、下顎模型４の印象面（上顎口腔内の形状が再現された面）４１が上側とされ、この下顎印象面４１上に下顎用製作補助具２が載置される。下顎用製作補助具２は、全体としては下顎模型４の印象面４１に略対応した大きさ及び形状とされている。下顎模型４の下顎印象面４１上に下顎用製作補助具２を載置した図３の状態において、下顎用製作補助具２の平面部ｈが仮想咬合平面ｐを再現している。
【００２０】
義歯を作製するにあたっては、仮想咬合平面を基準として歯（人工歯）を植立する必要があるから、仮想咬合平面の正確な把握が極めて重要である。図５は、仮想咬合平面ｐの理解を容易とするために上顎模型３と下顎模型４とで人体の口の状態を再現した側面図である。同図に示すように仮想咬合平面ｐを有歯顎時における咬合平面と一致させることにより、患者に適合した義歯を作製することができる。仮想咬合平面ｐとの誤差が大きい咬合床は、口腔内での咬合採得に多くの時間と労力を必要とする。よって、模型の段階で仮想咬合平面ｐを正確に把握し、この仮想咬合平面ｐとの誤差が少ない咬合床を作製することが重要である。
【００２１】
しかし、上顎模型３及び下顎模型４は共に無歯顎模型であり、歯牙を有さないため、歯牙を基準として仮想咬合平面ｐ（図１及び図３において破線で示す）を設定することができない。よって、仮想咬合平面ｐとの誤差の少ない咬合床を作製するのは容易ではない。このような無歯顎模型であっても、上顎用製作補助具１や下顎用製作補助具２は精度よく仮想咬合平面ｐを再現しうる。このように、上顎用製作補助具１や下顎用製作補助具２は、総義歯用模型の製作補助具とした場合に特に効果が大きい。
【００２２】
ここで、本発明の理解を容易とするため、上顎模型３及び下顎模型４の作製手順について説明する。以下、上顎模型３を例として説明するが、下顎模型４についても同様である。まず、個人トレーやモデリングコンパウンド等を用いて患者の上顎の口腔内の印象を型取りする。次に、トレーに石膏を流し込んで硬化させ、モデリングコンパウンド等により採得された印象面を石膏に転写する。これにより、採得された口腔内の印象面を再現した初期石膏型（図示省略）が作製される。続いて、この初期石膏型における印象面３１と反対側の面に追加の石膏を盛り、模型土台部ｍｄを形成する（図１及び図３参照）。
【００２３】
前述したように、義歯の作製精度を向上させ且つ作製効率を高めるためには、模型基底面ｋ（図１及び図３参照）を仮想咬合平面ｐと平行に形成するのが極めて有効である。そこで本実施形態では、模型土台部ｍｄを形成前の石膏型（すなわち前述した初期石膏型）の印象面３１の所定位置に製作補助具１を載置する。こうすると、製作補助具１，２の平面部ｈにより仮想咬合平面ｐが再現される。この状態で、模型土台部ｍｄを形成しつつ当該模型土台部ｍｄの底面である模型基底面ｋを平面部ｈと平行に形成する。つまり、上記初期石膏型の印象面３１の所定位置に製作補助具１を載置するとともに、印象面３１と反対側に盛られた石膏が硬化するまでの間に、平面部ｈと平行に模型基底面ｋを形成する。具体的には、盛られた追加の石膏を下側とし製作補助具を上側に載置した初期石膏型を基準平面（例えば机の上面など）上に置き、平面部ｈと基準平面とが平行になるように模型の姿勢を調整しつつ上記追加の石膏を変形させる。追加の石膏が硬化すると、前記基準平面が前記追加の石膏に転写され、平面部ｈ（すなわち仮想咬合平面ｐ）と平行な模型基底面ｋが形成される。このようにすると、石膏を削ることなく仮想咬合平面ｐとの平行性の高い模型基底面ｋを形成することができる。よって、模型基底面ｋと仮想咬合平面ｐとの平行性が高まるとともに、石膏を削ることがないため石膏を無駄とすることがない。もちろん、印象面に載置された製作補助具の平面部ｈに沿って石膏を削ることにより模型基底面ｋを作製してもよい。
【００２４】
次に、上顎用製作補助具１及び下顎用製作補助具２について詳細に説明する。これらの製作補助具１，２は、いずれも顎模型に定められた３カ所又はそれ以上の基準位置のみに当接した状態で顎模型上に載置できるような形状を有している。３カ所で支持されれば製作補助具１，２は安定するから、基準位置は基本的に３カ所でよい。またいずれの製作補助具１，２も、個々の患者によって異なる基準位置相互間の位置関係に対応しうる調節機構を有している。これらの製作補助具は、樹脂や金属等の公知の素材により作製される。
【００２５】
図６は上顎用製作補助具１を示し、図６（ａ）は平面部ｈ側からみた平面図、図６（ｂ）は前方からみた正面図、図６（ｃ）は側面図である。なお本願では、人体の口腔内における前側（唇側）を前方といい、同後側（咽喉側）を後方というものとする。また補助具について前方又は後方というときには、補助具が通常の使用状態（図１〜図４に示す状態）で模型上に載置された状態における前方又は後方を意味する。
【００２６】
上顎用製作補助具１は、口腔内の印象採得に基づいて得られた上顎模型３の前方側に位置する第一基準位置に当接しうる前方当接部としての上顎用前方当接部１１と、前記第一基準位置よりも後方側であって左右両側に位置する第二基準位置に当接しうる後方当接部としての上顎用後方当接部１２とを有している。さらに上顎用製作補助具１は、上顎用前方当接部１１と上顎用後方当接部１２とを連結するとともに、一表面に平面部ｈを有する基体部としての上顎用基体部１３を備えている。上顎用後方当接部１２の後方縁は、上顎用前方当接部１１と同方向に突設する突出縁部１２ａを有している。
【００２７】
上顎用前方当接部１１（の突設端１１ａの先端）の平面部ｈからの突出長さ（平面部ｈに対して垂直な方向の長さ）は所定の第一基準値としての上顎用第一基準値ａに設定されている（図６（ｂ），（ｃ）参照）。また、上顎用後方当接部１２（の突出縁部１２ａの先端）の平面部ｈからの突出長さ（平面部ｈに対して垂直な方向の長さ）は、所定の第二基準値としての上顎用第二基準値ｂに設定されている（図６（ｂ），（ｃ）参照）。
そして上顎用製作補助具１は、上顎用前方当接部１１が前記第一基準位置に当接し且つ上顎用後方当接部１２が前記第二基準位置に当接した状態で上顎模型３上に載置しうる形状とされている。そして上顎用製作補助具１は、前記第一基準位置及び前記第二基準位置のみと当接した状態で上顎模型３の上顎印象面３１上に載置しうる形状とされている。
【００２８】
上顎用製作補助具１の構造を更に具体的に説明する。上顎用製作補助具１は、上顎用基体部１３及び上顎用前方当接部１１を有する第一部材１０１と、上顎用後方当接部１２を有するとともに第一部材１０１とは別体とされた第二部材１０２と、ボルトとナットからなり第一部材１０１と第二部材１０２とを連結する連結部材１０３とを有している。図７（ａ）〜（ｃ）は、図６（ａ）〜（ｃ）のそれぞれにおいて第二部材１０２のみを抜き出して記載した図である。
【００２９】
口腔内の印象が略左右対称となっているのに対応して、第一部材１０１及び第二部材１０２はそれぞれ左右対称な形状をなしている。また、第一部材１０１の左右方向中央位置には、前後方向に延びる長穴１０１ａが設けられている。また第二部材１０２には貫通孔１０２ａが設けられている。連結部材１０３のナットが第一部材１０１の長穴１０１ａと第二部材１０２の貫通孔１０２ａとを貫通することにより第一部材１０１と第二部材１０２とが連結されている。よって第二部材１０２は第一部材１０１に対して前後方向に移動可能で且つ平面部ｈの面内方向に回動可能に取り付けられている。
【００３０】
第一部材１０１において、上顎用前方当接部１１は上顎用基体部１３の前縁部から略二股状に突設されている。上顎用製作補助具１では、前記第一基準位置は、上顎模型３における有歯顎時の中切歯歯肉唇移行部３２とされている（図１及び図２参照）。図２に示すように中切歯歯肉唇移行部３２は左右各１カ所で合計２カ所存在するが、上顎用製作補助具１の上顎用前方当接部１１はこれら２カ所の中切歯歯肉唇移行部３２と当接しうる形状とされている。つまり、上顎用前方当接部１１の略二股状の突設端１１ａのそれぞれが左右の中切歯歯肉唇移行部３２のそれぞれと当接する。２つの突設端１１ａの間隔は、左右の中切歯歯肉唇移行部３２（の最深部）の間隔に対応して設定され、好ましくは１０ｍｍである。上顎用前方当接部１１を略二股状とすることにより、上顎用前方当接部１１が上唇小帯３３（図２参照）に当たることを避けることができる。換言すれば、上顎用前方当接部１１は、２つの突設端１１ａを中切歯歯肉唇移行部３２に当接させつつ上唇小帯３３との当接を回避しうる形状とされている。よって、上唇小帯３３に干渉されることなく、上顎用前方当接部１１の突設端１１ａを中切歯歯肉唇移行部３２に正確に当接させることができる。
【００３１】
第二部材１０２は、左右方向に延びる後方縁部１０２ｂを有しており、この後方縁部１０２ｂが上顎用後方当接部１２を構成している。後方縁部１０２ｂは、上顎用製作補助具１とされた状態において上顎用前方当接部１１と同方向に突設された突出縁部１２ａを有している。上顎用製作補助具１では、第二基準位置が左右両側に位置するハミュラーノッチ３４とされており、突出縁部１２ａの左側部分が左側のハミュラーノッチ３４と当接し、突出縁部１２ａの右側部分右側のハミュラーノッチ３４と当接する。またハミュラーノッチ３４と当接するのは、突出縁部１２ａの先端である。
【００３２】
また上顎用製作補助具１は、各当接部１１，１２が各基準位置３２，３４と当接した状態（以下、基準状態ともいう）において、上顎模型３の切歯乳頭が当たらない様にするための貫通孔１５を有している（図６（ｂ）参照）。また上顎用製作補助具１は、上記基準状態となるように上顎模型３上に上顎用製作補助具１を載置する課程において上顎模型３の翼突下顎ヒダ３５と上顎用製作補助具１とが当たりにくくするための凹部１６が左右それぞれに設けられている（図６（ａ）参照）。よって上顎用製作補助具１を上顎模型３上に載置する際に翼突下顎ヒダ３５が邪魔になりにくくなり、作業性が向上する。この凹部１６を設けるために、第一部材１０１の後部は左右方向幅が狭くされている。また凹部１６を設けるために、第二部材１０２の前部は左右方向幅が狭くされるとともに、第二部材１０２の後部は左右方向幅が広くされて翼状とされている。
【００３３】
図８は下顎用製作補助具２を示し、図８（ａ）は平面部ｈ側からみた平面図、図８（ｂ）は前方からみた正面図、図８（ｃ）は側面図である。
下顎用製作補助具２は、口腔内の印象採得に基づいて得られた下顎模型４の前方側に位置する第一基準位置に当接しうる前方当接部としての下顎用前方当接部２１と、前記第一基準位置よりも後方側であって左右両側に位置する第二基準位置に当接しうる後方当接部としての下顎用後方当接部２２とを有している。さらに下顎用製作補助具２は、下顎用前方当接部２１と下顎用後方当接部２２とを連結するとともに、一表面に平面部ｈを有する基体部としての下顎用基体部２３を備えている。下顎用後方当接部２２は下顎用基体部２３の後方の左右両側に設けられている。
【００３４】
下顎用前方当接部２１（の先端）の平面部ｈからの突出長さ（平面部ｈに対して垂直な方向の長さ）は所定の第一基準値としての下顎用第一基準値ｃに設定されている（図８（ｂ），（ｃ）参照）。また、下顎用後方当接部２２（の先端）の平面部ｈからの突出長さ（平面部ｈに対して垂直な方向の長さ）は、所定の第二基準値としての下顎用第二基準値ｄに設定されている（図６（ｃ）参照）。
そして下顎用製作補助具２は、下顎用前方当接部２１が前記第一基準位置に当接し且つ下顎用後方当接部２２が前記第二基準位置に当接した状態で下顎模型４上に載置しうる形状とされている。そして下顎用製作補助具２は、前記第一基準位置及び前記第二基準位置のみと当接した状態で下顎模型４の下顎印象面４１上に載置しうる形状とされている。
【００３５】
下顎用製作補助具２の構造を更に具体的に説明する。下顎用製作補助具２は、下顎用基体部２３及び下顎用前方当接部２１を有する第一部材２０１と、下顎用後方当接部２２を有するとともに第一部材２０１とは別体とされた回動部材としての第二部材２０２と、ボルトとナットからなり第一部材２０１と第二部材２０２とを連結する連結部材２０３とを有している。第二部材２０２は第一部材２０１の後方に左右１つずつ合計２つ設けられ、第一部材２０１に対して回動可能に取り付けられている。
【００３６】
口腔内の印象が略左右対称となっているのに対応して、第一部材２０１は左右対称な形状をなしており、且つ２つの第二部材２０２も互いに左右対称に取り付けられている。第一部材２０１の左右後方のそれぞれには貫通孔２０１ａが設けられている。また第二部材２０２にも貫通孔２０２ａが設けられている。連結部材２０３のナットが第一部材２０１の貫通孔２０１ａと第二部材２０２の貫通孔２０２ａとを貫通することにより第一部材２０１と第二部材２０２とが連結されている。よって第二部材２０２は第一部材２０１に対して平面部ｈの面内方向に回動可能に取り付けられている。また第二部材２０２は、下顎用基体部２３（あるいは第一部材２０１）の外方に向かって突出しており、かつ下顎用基体部２３の外方にいくにつれて細くなる形状とされている。第一部材２０１における第二部材２０２設置部分は、第二部材２０２の肉厚分と同じ高さの段差を有している。これにより、第二部材２０２の上面２０２ｊは、平面部ｈと面一とされている。よって、第二部材２０２の上面２０２ｊも仮想咬合平面ｐを再現する面とされている。
【００３７】
第一部材２０１において、下顎用前方当接部２１は下顎用基体部２３の前縁部から二股状に突設されている。下顎用製作補助具２では、前記第一基準位置は、下顎模型４における有歯顎時の中切歯歯肉唇移行部４２とされている（図３及び図４参照）。図４に示すように中切歯歯肉唇移行部４２は左右各１カ所で合計２カ所存在するが、下顎用製作補助具２の下顎用前方当接部２１はこれら２カ所の中切歯歯肉唇移行部４２と当接しうる形状とされている。つまり、下顎用前方当接部２１の略二股状の突設端２１ａのそれぞれが左右の中切歯歯肉唇移行部４２のそれぞれと当接する。２つの突設端２１ａの相互間隔は、左右の中切歯歯肉唇移行部４２（の最深部）の間隔に対応させており、好ましくは８ｍｍである。下顎用前方当接部２１を略二股状とすることにより、下顎用前方当接部２１が下唇小帯４３（図４参照）に当たることを避けることができる。換言すれば、下顎用前方当接部２１は、２つの突設端２１ａを中切歯歯肉唇移行部４２に当接させた状態で下唇小帯４３に当接しない形状とされている。よって、下唇小帯４３に干渉されることなく、下顎用前方当接部２１の突設端２１ａを中切歯歯肉唇移行部４２に正確に当接させることができる。
【００３８】
第二部材２０２において下顎模型４と当接する部分は、第二部材２０２の左右方向外側縁部２０２ｂである。下顎用製作補助具２では、第二基準位置が左右両側に位置する臼後三角４４とされている。臼後三角４４は図４の平面視において略三角形状をなす領域であるが、この臼後三角４４は図３で示すように前側から後側にいくにつれて高くなる斜面状となっている。よって第二部材２０２の左右方向外側縁部２０２ｂの全体が臼後三角４４と当接するのではなく、左右方向外側縁部２０２ｂの一部（略一点）が臼後三角４４と当接する。つまり、左右方向外側縁部２０２ｂのうちのいずれか一点を臼後三角４４と当接させる。左右方向外側縁部２０２ｂが臼後三角４４のうちの所望の高さ位置（後述するＨ２やＨ３など）と当接するように第二部材２０２を回動させる。臼後三角４４と第二部材２０２とは蝋付け等により仮固定すると、当接位置のズレが防止できるので好ましい。
【００３９】
以上のような製作補助具１，２を用い、かつ、上記各基準値ａ，ｂ，ｃ，ｄを解剖学的平均値に基づいた適切な値に設定することにより、模型上に載置した状態（図１〜図４の状態）の製作補助具１，２の平面部ｈは、仮想咬合平面ｐを精度よく再現する。よって、仮想咬合平面ｐを精度よく把握することができる。また、仮想咬合平面ｐを再現した平面部ｈと模型３，４の基底面ｋとを平行とすることにより、仮想咬合平面ｐと模型基底面ｋとの平行性を高めることができる。
【００４０】
上記上顎用製作補助具１では、上顎における有歯顎時の中切歯歯肉唇移行部３２を第一基準位置とし、左右両側のハミュラーノッチ３４を第二基準位置とした。基準位置を中切歯歯肉唇移行部３２及びハミュラーノッチ３４としたのは、これらの基準位置から仮想咬合平面ｐまでの距離（高さ）は解剖学的平均値に基づいた基準値として精度が高いからである。また後側の左右のハミュラーノッチ３４と前側の中切歯歯肉唇移行部３２との略３点に当接点を分散することにより、上顎模型３上に載置した際に上顎用製作補助具１が安定し、仮想咬合平面ｐが安定的に再現される。精度よく仮想咬合平面ｐを再現するためには、上顎用第一基準値ａは２２ｍｍとするのがよく、上顎用第二基準値ｂは５ｍｍとするのがよい。なお、上顎模型における基準位置は、中切歯歯肉唇移行部３２やハミュラーノッチ３４以外の部位にも設定可能である。
【００４１】
また上記下顎用製作補助具２では、下顎における有歯顎時の中切歯歯肉唇移行部４２を第一基準位置とし、左右両側の臼後三角４４を第二基準位置とした。基準位置を中切歯歯肉唇移行部４２及び臼後三角４４としたのは、これらの基準位置から仮想咬合平面ｐまでの距離（高さ）は解剖学的平均値に基づいた基準値として精度が高いからである。また後側の左右の臼後三角４４と前側の中切歯歯肉唇移行部４２との略３点に当接点を分散することにより、下顎模型４上に載置した際に下顎用製作補助具２が安定し、仮想咬合平面ｐが安定的に再現される。精度よく仮想咬合平面ｐを再現するためには、下顎用第一基準値ｃは１８ｍｍとするのがよい。また下顎用第二基準値ｄは、臼後三角４４のどの位置に第二部材２０２を当接させるかによって変わってくる。図３に示すように、臼後三角４４の高さをＨとし、臼後三角４４の最下点Ｈ１からの高さが１／２Ｈ（Ｈの半分）である臼後三角４４上の点をＨ２とし、臼後三角４４の最下点Ｈ１からの高さが２／３Ｈである臼後三角４４上の点をＨ３とする。このとき、第二部材２０２をＨ２〜Ｈ３の間に当接させる場合は、下顎用第二基準値ｄを１．５ｍｍとするのがよい。本実施形態では、下顎用第二基準値ｄは第二部材２０２の肉厚として設定されている。下顎用第二基準値ｄを１．５ｍｍとするとき、第二部材２０２の当接点として最も汎用性が高いのはＨ２（高さ１／２の点）である。よって通常は、第二部材２０２の当接点をＨ２とするのが好ましい。第二部材２０２の当接点をＨ２〜Ｈ３のうちのどこに設定するかは患者によって適宜調整しうる。なお、下顎模型における基準位置は、中切歯歯肉唇移行部４２や臼後三角４４以外の部位にも設定可能である。
【００４２】
上顎の中切歯歯肉唇移行部３２とハミュラーノッチ３４との位置関係は患者によって微妙に異なる。また左右のハミュラーノッチは必ずしも左右対称に位置しているとは限らず、むしろ左右非対称の場合が多い。この点に関し上顎用製作補助具１では、上顎用後方当接部１２が上顎用前方当接部１１に対して前後方向に可動とされ、かつ上顎用後方当接部１２が平面部ｈの面内方向に回動可能に取り付けられているので、前方当接部と後方当接部との位置関係を各患者に対応させることができる。よって、汎用性の高い製作補助具とされている。
【００４３】
この点は下顎についても同様である。下顎の中切歯歯肉唇移行部４２と臼後三角４４（のＨ２あるいはＨ３）との位置関係は患者によって微妙に異なる。また左右の臼後三角４４は必ずしも左右対称に位置しているとは限らず、むしろ左右非対称の場合が多い。しかし下顎用製作補助具２では、下顎用後方当接部２２が下顎用前方当接部２１に対して平面部ｈの面内方向に回動可能に取り付けられているので、前方当接部と後方当接部との位置関係を各患者に対応させることができる。よって、汎用性の高い製作補助具とされている。
【００４４】
上顎用製作補助具１において、上顎用前方当接部１１は、上述したように左右２つの中切歯歯肉唇移行部３２の両方と当接させてもよいが、左右２つの中切歯歯肉唇移行部３２のうちの一つのみと当接させてもよい。つまり、上顎用製作補助具１の上顎用前方当接部１１における左右の突設端１１ａの左側の突設端１１ａを、左右両側の中切歯歯肉唇移行部３２のうちの右側の中切歯歯肉唇移行部３２に当接させたり、逆に右側の突設端１１ａを左側の中切歯歯肉唇移行部３２に当接させたりすることが可能である。上顎用前方当接部１１における当接が一点のみであっても、上顎用製作補助具１は他に左右２つのハミュラーノッチ３４と当接しており安定して３点支持される。このように、上顎用前方当接部１１の突設端１１ａは、上記上顎用製作補助具１のように２つでなく１つであってもよい。
【００４５】
同様に、下顎用製作補助具２において、下顎用前方当接部２１は、上述したように左右２つの中切歯歯肉唇移行部４２の両方と当接させてもよいが、左右２つの中切歯歯肉唇移行部４２のうちの一つのみと当接させてもよい。つまり、下顎用製作補助具２の下顎用前方当接部２１における左右の突設端２１ａのうちの左側の突設端２１ａを、左右両側の中切歯歯肉唇移行部４２のうちの右側の中切歯歯肉唇移行部４２に当接させたり、逆に右側の突設端２１ａを左側の中切歯歯肉唇移行部４２に当接させたりすることが可能である。下顎用前方当接部２１における当接が一点のみであっても、下顎用製作補助具２は他に左右２つの臼後三角４４と当接しており安定して３点支持される。このように、下顎用前方当接部２１の突設端２１ａは、上記下顎用製作補助具２のように２つでなく１つであってもよい。
【００４６】
上顎用製作補助具１及び下顎用製作補助具２において、模型３、４と当接する部分は、当該模型３，４に対して実質的に点接触するような形状とされている。すなわち、上顎用製作補助具１における突設端１１ａや突出縁部１２ａは尖った形状とされている。同様に下顎用製作補助具２における突設端２１ａも尖った形状とされている。また下顎用製作補助具２の第二部材２０２には尖った部分はないが、第二部材２０２は板状部材よりなるため、左右方向外側縁部２０２ｂは角部を有し、この角部が凸局面である臼後三角４４と実質的に点接触する。このように上顎用製作補助具１や下顎用製作補助具２は、模型上の基準位置に対して実質的に点接触した状態で載置されるから、各基準値ａ〜ｄが精度よく平面部ｈに反映され、仮想咬合平面ｐの再現精度が向上している。
【００４７】
なお、上顎用製作補助具１や下顎用製作補助具２が載置されるのは、人体ではなく、石膏等の硬質材料よりなる模型である。よって、突設端１１ａや突出縁部１２ａなどの尖った部分が刺さって製作補助具１，２が沈み込むということはない。この点も仮想咬合平面ｐの再現精度向上に寄与している。
【００４８】
上顎用製作補助具１や下顎用製作補助具２は、総義歯用模型のみならず残存歯がある場合の部分義歯用模型の製作補助具として用いることもできる。上顎用製作補助具１や下顎用製作補助具２の載置に際し残存歯が邪魔になる場合は、残存歯の位置や本数に応じて形状を調整し、残存歯と干渉しないようにすればよい。また、上述したように、上顎用前方当接部１１や下顎用前方当接部２１の左右の突設端のうちの左側の突設端を右側の中切歯歯肉唇移行部に当接させたり、逆に右側の突設端を左側の中切歯歯肉唇移行部に当接させたりすることにより、残存歯を避けて模型上に載置することも可能である。
【００４９】
図９は、製作補助具１，２の平面部ｈによって形成された仮想咬合平面ｐと平行な模型基底面ｋを形成するための基底面決定補助具６の一例を示す図である。この基底面決定補助具６は、互いに直交する第一平板部６１と第二平板部６２とを備えた本体部６ｈと、平板状をなし本体部６ｈとは別体とされた別体部６３とを有している。
【００５０】
別体部６３は、本体部６ｈの第二平板部６２と面当接する面当接部６３ｂと、この面当接部６３ｂに対して垂直な方向に延びる延設部６３ｃとを有している。延設部６３ｃは、面当接部６３ｂの一端（下端）に取り付けられている。延設部６３ｃの底面は、第一平板部６１の上面と平行である。
第二平板部６２は貫通孔６２ａを有する一方、別体部６３の面当接部６３ｂは長穴６３ａを有している。そして、貫通孔６２ａと長穴６３ａとを貫通するとともにボルトと蝶ナットよりなる連結部材６５によって本体部６ｈの第二平板部６２と別体部６３とが連結されている。第二平板部６２と面当接部６３ｂとは互いに面当接されるとともに、互いに長穴６３ａ延設方向に相互移動が可能である。よって基底面決定補助具６は、第二平板部６２と面当接部６３ｂとの相対的な位置関係を変えることにより、第一平板部６１と直交する方向の延設長さＬ（図９（ｃ）参照）が可変とされている。また別体部６３の面当接部６３ｂには目盛りｇが設けられており（図９（ｂ）参照）、この目盛りｇを読むことにより延設長さＬが把握される。さらに、延設部６３ｃの底面を作業台等の上面に面当接させることにより、面当接部６３ｂや第二平板部６２を鉛直方向に配向させることができる。なお、面当接部６３ｂの左右両側縁部には、第二平板部６２側に突出する突出縁部６３ｄが設けられている。左右の突出縁部６３ｄ同士の間隔は、第二平板部６２の左右方向幅に略等しい。第二平板部６２は、左右の突出縁部６３ｄと面当接部６３ｂとで形成される断面略コの字状の溝内をスライド移動する。
【００５１】
この基底面決定補助具６は、前述した模型土台部ｍｄの形成時において仮想咬合平面ｐと平行は模型基底面ｋを形成するために用いる。具体的には以下のように使用することができる。ます、前述した初期石膏型の印象面３１の所定位置に製作補助具を載置し、当該製作補助具の平面部ｈにより仮想咬合平面ｐを再現した状態とする。そして、盛られた追加の石膏を下側とし製作補助具を上側に載置した初期石膏型を基準平面（例えば机の上面など）上に置き、平面部ｈの上に重ねるようにして当該平面部ｈに基底面決定補助具６の第一平板部６１を当てる。第二平板部６２及び面当接部６３ｂが基準平面に対して垂直な状態で、且つ第一平板部６１と平面部ｈとが隙間無く面当接すれば、平面部ｈと基準平面とが平行ということになる。よって、基底面決定補助具６により平面部ｈと基準平面との平行性を確認することができる。延設部６３ｃの底面を基準平面と面当接させることにより、第二平板部６２及び面当接部６３ｂが基準平面に対して垂直な状態となる。このように基底面決定補助具６により平面部ｈと基準平面との平行性を確認しながら、上記追加の石膏を変形させる。第一平板部６１を平面部ｈの複数箇所に当てることで平面部ｈと基準平面との平行性の確認精度が更に高まる。平面部ｈと基準平面とが平行となったら、その状態を維持しながら石膏を硬化させる。そうすると、基準平面の形状が追加の石膏に転写され、平面部ｈと平行な模型基底面ｋが形成される。また、上述した目盛りｇにより、基準平面と平面部ｈとの距離を確認しながら作業することができる。
【図面の簡単な説明】
【００５２】
【図１】本発明の実施形態である上顎用製作補助具を上顎模型上に載置した状態の側面図である。
【図２】図１の状態を上から見た平面図である。
【図３】本発明の実施形態である下顎用製作補助具を下顎模型上に載置した状態の側面図である。
【図４】図３の状態を上から見た平面図である。
【図５】上顎模型と下顎模型とを組み合わせて人体の口腔の状態を再現した様子を示す側面図である。
【図６】本発明の実施形態である上顎用製作補助具の図であり、（ａ）は平面図、（ｂ）は正面図、（ｃ）は側面図である。
【図７】図６の上顎用製作補助具における第二部材を示す図であり、（ａ）は平面図、（ｂ）は正面図、（ｃ）は側面図である。
【図８】本発明の実施形態である下顎用製作補助具の図であり、（ａ）は平面図、（ｂ）は正面図、（ｃ）は側面図である。
【図９】基底面決定補助具を示す図であり、（ａ）は平面図、（ｂ）は正面図、（ｃ）は側面図である。
【符号の説明】
【００５３】
１        上顎用製作補助具（製作補助具）
１１      上顎用前方当接部（前方当接部）
１２      上顎用後方当接部（後方当接部）
１３      上顎用基体部（基体部）
１０２    第二部材（基体部に対して前後方向に移動可能で且つ平面部の面内方向に回動可能に取り付けられた部材）
２        下顎用製作補助具
２１      下顎用前方当接部（前方当接部）
２２      下顎用後方当接部（後方当接部）
２３      下顎用基体部（基体部）
２０２    第二部材（回動部材）
３        上顎模型（模型）
３２      上顎における有歯顎時の中切歯歯肉唇移行部
３４      ハミュラーノッチ
４        下顎模型
４２      下顎における有歯顎時の中切歯歯肉唇移行部
４４      臼後三角
ｐ        仮想咬合平面
ａ        上顎用第一基準値（第一基準値）
ｂ        上顎用第二基準値（第二基準値）
ｃ        下顎用第一基準値（第一基準値）
ｄ        下顎用第二基準値（第二基準値）
【図１】
2007014461.tif 000003
【図２】
2007014461.tif 000004
【図３】
2007014461.tif 000005
【図４】
2007014461.tif 000006
【図５】
2007014461.tif 000007
【図６】
2007014461.tif 000008
【図７】
2007014461.tif 000009
【図８】
2007014461.tif 000010
【図９】
2007014461.tif 000011